(57)【要約】      （修正有）【課題】風の影響（倒伏）を受け難いグランドゴルフ用ホールポストを提供する。【解決手段】ゴールとなる円形リング部、及びポール体の重錘部分を挿入してポール体を起立させる上フレーム部、及び上フレーム部を円形リング部の中心上方に配設する支持フレームで形成されたベース体と、下端に重錘を設けると共に頂部を開口したポール体と、旗縦杆３１２及び腕横杆３１３にフラッグ３１１を取り付け、ポール体の開口部に挿着脱される基部３２に、旗縦杆を回転自在に装着してなるフラッグ体とからなる。【選択図】図３
0003135918.tif 000002
【実用新案登録請求の範囲】
【請求項１】
ゴールとなる円形リング部、及びポール体の重錘部分を挿入してポール体を起立させる上フレーム部、及び前記上フレーム部を円形リング部の中心上方に配設する支持フレームで形成されたベース体と、下端に重錘を設けると共に頂部を開口したポール体と、旗縦杆及び腕横杆にフラッグを取り付け、前記ポール体の開口部に挿着脱される基部に、前記旗縦杆を回転自在に装着してなるフラッグ体とからなることを特徴とするグランドゴルフ用ホールポスト
【請求項２】
フラッグ体の基部の外周面を摩擦抵抗の大きい材料で被覆してなる請求項１記載グランドゴルフ用ホールポスト
【考案の詳細な説明】
【技術分野】
【０００１】
本考案は、グランドゴルフ用ホールポストの特にフラッグの装着構造に関するものである。
【背景技術】
【０００２】
グランドゴルフは周知の通り、ホールポストをゴールとした打数を競うもので、ホールポストは、ベース体と、ポール体で構成され、ベース体は、ゴールとなる円形リング部と、ポール体を挿入起立させる上フレーム部と、前記上フレーム部を円形リング部の中心上方に配設する支持フレームで形成されている。
【０００３】
ポール体は、下端に重錘を設けたポールと、ポール上端に取り付けたフラッグで構成され、重錘部分を上フレーム部に装着して使用されるものである。
【０００４】
特に収納に便利なように特許文献１（特開２００５−２７０１７３号公報）には、ポールに伸縮パイプを採用することが提案されており、特許文献２（特開２００７−１１１４４０号公報）には、フラッグの上辺を支持する腕横杆がポール頂部に着脱できるキャップに連結してフラッグの折畳み収納を提案している。
【０００５】
【特許文献１】特開２００５−２７０１７３号公報。
【特許文献２】特開２００７−１１１４４０号公報。
【考案の開示】
【考案が解決しようとする課題】
【０００６】
前記した従前のグランドゴルフ用ホールポストにおけるフラッグは、縦側辺をポールに装着し、上辺を腕横杆に装着している。このフラッグは風が吹くとバタバタとはためくが、ポール体を支持しているベース体自体が金属枠で形成された軽量のもので、強い風が吹くとベース体と共にポール体が倒伏してしまいホールポストとして機能しなくなる。
【０００７】
また一般のゴルフポールのように腕横杆を採用しない場合には、前記の風の問題は解消するが、風がないとフラッグが垂れ下がり、フラッグに表示されたホールナンバーをプレーヤーが確認することができなくなる。
【０００８】
そこで本考案は、風の影響を受け難いフラッグ装着構造を備えた新規なグランドゴルフ用ホールポストを提案したものである。
【課題を解決するための手段】
【０００９】
本考案（請求項１）に係るグランドゴルフ用ホールポストは、ベース体とポール体とフラッグ体とで構成されるもので、ベース体が、ゴールとなる円形リング部、及びポール体の重錘部分を挿入してポール体を起立させる上フレーム部、及び前記上フレーム部を円形リング部の中心上方に配設する支持フレームで形成され、ポール体はポール下端に重錘を設けると共に頂部を開口したものであり、フラッグ体は、旗縦杆及び腕横杆にフラッグを取り付け、前記ポール体の開口部に挿着脱される基部に、旗縦杆を回転自在に装着してなるものである。
【００１０】
而してフラッグを取り付けたフラッグ体の基部を、ポール体の頂部に挿入して装着し、ポール体を所定位置に配置したベース体の上フレーム部に挿入して起立させてグランドゴルフのホールポストとして使用するものである。
【００１１】
特にフラッグは、旗縦杆及び腕横杆に取り付けているので、フラッグに表示されたホールナンバーはしっかりと確認することができ、フラッグが風を受けると自然に回動し、風の抵抗を最も受けない位置にフラッグが移動し、風によるホールポストの転倒を未然に抑えることができる。
【００１２】
また本考案（請求項２）は、前記のグランドゴルフ用ホールポストにおいて、フラッグ体の基部の外周面を摩擦抵抗の大きい材料で被覆してなるもので、ポール体頂部に差し入れるのみでフラッグ体の装着ができ、フラッグ体の着脱操作が容易になされると共に、フラッグ体の不用意な抜けが防止されることになる。
【考案の効果】
【００１３】
本考案は上記の構成で、ポール体及びポール体に付属させた腕横杆に直接装着していたフラッグを独立したフラッグ体とし、且つフラッグ部分を回転自在な構造としたもので、ホールポストの現地組立が容易になされると共に、フラッグの表示を見やすい状態を維持したまま、特に風によるホールポストの転倒を未然に防止したものである。
【考案を実施するための最良の形態】
【００１４】
次に本考案の実施形態について説明する。実施形態に示したグランドゴルフ用ホールポストは、ベース体１と、ポール体２と、フラッグ体３とで構成される。
【００１５】
ベース体１は、従前の器具と同様な構造で、ゴールとなる円形リング部１１と、後述するポール体２の重錘２２が挿入されるリング形状の上フレーム部１２と、及び前記上フレーム部１２を円形リング部１１の中心上方に配設する脚形状の支持フレーム部１３と、支持フレーム部１３の補強をなす上リング部１４で形成される。
【００１６】
ポール体２は、所定の細管で形成されたポール２１の下端に重錘２２を設けると共に、重錘２２の上部に鍔部２３を形成したものであり、更にポール２１の頂部は開口部２４としているものである。
【００１７】
フラッグ体３は、フラッグ部３１と基部３２で構成され、フラッグ部３１は、所定の表示がなされているフラッグ３１１を、旗縦杆３１２及び腕横杆３１３に取り付けたものである。
【００１８】
更に旗縦杆３１２は、基部３２に回転自在に装着するために、旗縦杆３１２を下方に延伸し、中間部分に鍔部３１４を設け、下端にネジ部３１５を設けたものである。
【００１９】
基部３２は、ポール体２の開口部２４より径大で、且つ中心に挿通孔３２１ａを穿設した上端板３２２と、前記上端板３２２の下方に連設した筒状部３２３と、筒状部３２３の下端に装着（図示例はネジ装着）した開口部２４より径小で、且つ中心に挿通孔３２１ｂを穿設した下端板３２４と、筒状部３２３の外周に開口部２４の内径と同径となる摩擦部３２５とで形成されるもので、特に前記の摩擦部３２５には、例えば面ファスナーの鉤止面のような部材を採用したものである。更に既存のポールに合わせて、基部３２の径の大きさを変更できる部品構成とすると便利である。
【００２０】
フラッグ部３１を基部３２に装着するには、旗縦杆３１２の下方部分を挿通孔３２１ａから差し入れ、下方の挿通孔３２１ｂから露出したネジ部３１５にナット３１６を螺合して抜け止めとしたもので、特に緩やかに螺合することで旗縦杆３１２は自由に回転できることになる。もちろん緩み止めとしてダブルナットを採用しても良い。
【００２１】
而してベース体１とポール体２とフラッグ体３を試合会場や練習会場に携帯し、組み立ててグランドゴルフのホールポストとして使用するもので、携帯に際しては、旗杆３１２と腕横杆３１３は折り曲げ状態とし、組立時にＬ状とするものである。
【００２２】
ホールポストの組立は、ゴール位置にベース体１を配置し、ポール体２の重錘２２部分を上フレーム部１２に挿入して、鍔部２３を上フレーム部１２上に載置することでポール体２を起立させる。更に開口部２４にフラッグ体３の基部３２を挿入（ある程度の力で圧入）し、ポール体２の頂部にフラッグ３１１を装着してグランドゴルフのホールポストとするものである。
【００２３】
従ってポール体２の頂部にホールナンバーが表示されたフラッグ３１１がはためくことになり、プレーヤーはゴールすべきホール位置を知ることができ、また風が吹いても、風に応じてフラッグ３１１が回転するので、風によってホールポストが転倒することが抑えられたものである。また摩擦部３２５は、基部３２がポール２１の開口部２４から抜け出ないように抵抗となるので、風によってフラッグ体３が外れることもない。
【図面の簡単な説明】
【００２４】
【図１】本考案の実施形態の全体斜視図。
【図２】同フラッグ体の分解斜視図。
【図３】同フラッグ体の全体斜視図。
【図４】同フラッグ体の基部の断面図。
【符号の説明】
【００２５】
１          ベース体
１１        円形リング部
１２        上フレーム部
１３        支持フレーム部
１４        上リング部
２          ポール体
２１        ポール
２２        重錘
２３        鍔部
２４        開口部
３          フラッグ体
３１        フラッグ部
３１１      フラッグ
３１２      旗縦杆
３１３      腕横杆
３１４      鍔部
３１５      ネジ部
３１６      ナット
３２        基部
３２１ａ，３２１ｂ  挿通孔
３２２      上端板
３２３      筒状部
３２４      下端板
３２５      摩擦部
【図１】
0003135918.tif 000003
【図２】
0003135918.tif 000004
【図３】
0003135918.tif 000005
【図４】
0003135918.tif 000006